(57)【特許請求の範囲】
【請求項１】
床下地上に蓄熱体が載置され、
板状またはシート状の蓄熱体と、木質板材と、発熱部が収容された板状の床材とが記載順に積層されかつ互いに当接された積層当接状態で前記床下地上に施工されていることを特徴とする蓄熱床構造。
【請求項２】
請求項１記載された蓄熱床構造において、
前記床材は、凹溝を有する木質基材の該凹溝内に、温水又は冷水が内部を流れる前記発熱部としてのパイプが一体的に収容された一体型の床材である、ことを特徴とする蓄熱床構造。
【請求項３】
請求項１又は２に記載された蓄熱床構造において、
前記木質板材は、厚みが２ｍｍ以上かつ１２ｍｍ以下であり、かつ、熱伝導率が０．１［Ｗ／ｍＫ］以上である、ことを特徴とする蓄熱床構造。
【発明の詳細な説明】
【技術分野】
【０００１】
本発明は、発熱パネルに蓄熱体を組み合わせた蓄熱床構造に関する。
【背景技術】
【０００２】
従来、建物内部の床面を暖房するための床暖房構造として、例えば特許文献１に示されるように、ベースボード上に、蓄熱性のある制振遮音板及び合成樹脂発泡シートをこの順に載置し、合成樹脂発泡シート上に複数の面状発熱体を配置し、面状発熱体の上面にフローリング材を設けた暖房床構造が知られている。
【先行技術文献】
【特許文献】
【０００３】
【特許文献１】特開２００２−１０６１５９号公報
【発明の概要】
【発明が解決しようとする課題】
【０００４】
上記特許文献１のものでは、発熱体と制振遮音板との間に合成樹脂発泡シートが施工されている。しかしながら、当該構造は、制振遮音効果を主たる狙いとしていることから、合成樹脂発泡シートとしては、熱伝導率が小さく、発熱体の熱を制振遮音板に十分に伝えることが難しい。同様に、発熱体と制振遮音板との間に合成樹脂発泡シートが介在しているため、制振遮音板に蓄積された熱が表面床材に伝わりにくい。すなわち、制振遮音板の蓄熱性能が十分に発揮されないという問題がある。
【０００５】
さらに、合成樹脂発泡シートは、軟質材であるため、硬質材を使用する場合と比較して施工不備によるフローリング材の不陸が発生しやすい。また、歩行時の床材の沈み込みにより、歩行者に歩行中の違和感が生じる場合がある。
【０００６】
本発明は斯かる諸点に鑑みてなされたもので、その目的は、発熱部を有する床材に蓄熱体を組み合わせた蓄熱床構造において、床材から蓄熱体への熱伝達効率が高く、施工性に優れ、かつ、歩行者に歩行中の違和感を生じさせないようにすることにある。
【課題を解決するための手段】
【０００７】
上記の目的を達成するために、この発明では、床下地上に蓄熱体と、木質板材と、発熱部が収容された板状の床材とを、その記載順で積層状態に施工するようにした。これにより、床材の発熱部の熱が蓄熱体に伝わりやすくなる。
【０００８】
具体的には、第１の発明に係る潜熱蓄熱床構造は、床下地上に蓄熱体が載置され、前記蓄熱体上に、木質板材と、発熱部が収容された板状の床材とが記載順に重ねられた状態で施工されていることを特徴とする。
【０００９】
なお、本発明においては、発熱とは温熱に限らず冷熱を生じさせることも含む。
【００１０】
この第１の発明では、蓄熱体、木質板材及び床材が積層状態になるように施工している。ここで、木質板材は、従来の蓄熱床構造において用いられている合成樹脂発泡シート等と比較して熱伝導率が大きい。そのため、従来技術と比較して床材の発熱部の熱が蓄熱体に伝わりやすくなる。同様に、蓄熱体から放出された熱も木質板材を介して床材に伝わりやすくなる。すなわち、床材（発熱部）と蓄熱体との間における熱伝導効率が上昇するため、蓄熱体の蓄熱性能を十分に発揮させることができる。したがって、床材つまり床面の温熱又は冷熱の持続効果を高めることができる。
【００１１】
また、木質板材上に発熱部が収容された板状の床材を施工するようにしたので、蓄熱体の寸法が熱によって変化した場合においても、蓄熱体の寸法変化による床材への影響を防止することができる。すなわち、上記床材への影響を考慮した施工が不要であり、施工性に優れている。
【００１２】
さらに、木質板材は、合成樹脂発泡シート等と比較すると硬度が十分に高いため、本態様によると、歩行者に歩行中の違和感を生じさせないようにすることができる。
【００１３】
第２の発明は、前記床材は、凹溝を有する木質基材の該凹溝内に、温水又は冷水が内部を流れる前記発熱部としてのパイプが一体的に収容された一体型の床材である、ことを特徴とする。
【００１４】
この第２の発明では、発熱部が木質基材に一体的に収容されたパイプである場合に、蓄熱体の蓄熱性及び蓄熱床構造の施工性を高めることができる。
【００１５】
第３の発明は、前記木質板材は、厚みが２ｍｍ以上かつ１２ｍｍ以下であり、かつ、熱伝導率が０．１［Ｗ／ｍＫ］以上である、ことを特徴とする。
【００１６】
この第３の発明では、第１及び第２の発明と同様に、蓄熱体の蓄熱性能を十分に発揮させることができるとともに、蓄熱床構造の施工性を高めることができる。
【００１７】
木質板材の厚さは、２ｍｍよりも薄いと、剛性がなく施工しにくくなる場合がある一方、１２ｍｍより厚いと、熱抵抗が大きくなり下部の蓄熱体に十分に蓄熱されない場合があるため、２ｍｍ以上かつ１２ｍｍ以下に設定されている。また、熱伝導率は、０．１［Ｗ／ｍＫ］より小さいと、熱抵抗が大きくなり下部の蓄熱体に十分に蓄熱されない場合があるため、０．１［Ｗ／ｍＫ］以上に設定されている。
【発明の効果】
【００１８】
以上説明したように、本発明によると、蓄熱体、木質板材及び床材が積層状態になるように施工したことにより、床材と蓄熱体との間における熱伝導効率が上がるとともに、蓄熱床構造の施工性を高めることができる。
【図面の簡単な説明】
【００１９】
【図１】図１は、本発明の実施形態に係る蓄熱床構造の断面図である。
【発明を実施するための形態】
【００２０】
以下、本発明の実施形態を図面に基づいて詳細に説明する。以下の実施形態の説明は、本質的に例示に過ぎず、本発明、その適用物或いはその用途を制限することを意図するものでは全くない。
【００２１】
図１は本発明の実施形態に係る蓄熱床構造を示している。
【００２２】
図１に示すように、建物内部の室内の床面における床下地１の上には、蓄熱材からなる複数の蓄熱マット２，２，…が敷き詰められて施工されている。蓄熱マット２は、例えば、厚さが３ｍｍ以上の矩形板状又はシート状であり、例えば、その厚さが１５ｍｍ以上であってもよい。蓄熱マット２には、合成ゴムを主原料としたもの又はアスファルトを主原料としたもののように顕熱容量の大きな材料が好適に用いられる。或いは、パラフィン、無機塩及び／又はオレフィン等を含んだ潜熱容量の大きな材料が用いられる。図示しないが、蓄熱マット２は、例えば、ステープル等の締結具によって床下地１に固定された状態で施工されている。なお、図示しないが、各蓄熱マット２は、隣接する蓄熱マット２との間に数ｍｍの間隔をあけた状態で敷き詰められていてもよい。
【００２３】
床下地１上に敷き詰められた蓄熱マット２の上には、木質板材３と、下面に凹溝４２を有していて該凹溝４２内に温水パイプ５が一体的に収容された一体型の床暖房パネル４とが、その記載順に重ねられた状態で施工されている。
【００２４】
木質板材３は、例えば、厚さが２〜１２ｍｍであり、かつ、熱伝導率が０．１［Ｗ／ｍＫ］以上のものが好適に用いられる。例えば、木質板材３の厚さが２ｍｍよりも薄いと、施工に必要な剛性がなく、施工性が低下する場合がある。一方で、木質板材３の厚さが１２ｍｍより厚いと、木質板材３の熱抵抗が大きくなり、温水パイプ５の熱が蓄熱マット２に伝わりにくくなり、蓄熱マット２の蓄熱性能が十分に発揮されなくなる場合がある。また、例えば、木質板材３の熱伝導率が０．１［Ｗ／ｍＫ］より小さいと、木質板材３の熱抵抗が大きくなり、温水パイプ５の熱が蓄熱マット２に伝わりにくくなり、蓄熱マット２の蓄熱性能が十分に発揮されなくなる場合がある。木質板材３として、例えば、合板、ＭＤＦ（中密度繊維板）、パーティクルボード、ＯＳＢ（配向性ストランドボード）、ハードボード等が用いられる。
【００２５】
床暖房パネル４は、例えば、厚さが１０ｍｍ程度の合板、単板、ＭＤＦ等からなる長尺板状のパネル本体４１を有し、その裏面（下面）には、短辺方向及び長辺方向に互いに平行な部分を有するように蛇行して延びる凹溝４２が形成されている。この凹溝４２内にはアルミ箔等の放冷熱材を介して温水パイプ５が収容配置され、この温水パイプ５内を温水が流れるようになっている。また、パネル本体４１の一方の短辺には、突条からなる雄実４３が形成されており、他方の短辺には雄実４３と嵌合可能な条溝からなる雌実４４が形成されている。
【００２６】
蓄熱床構造を施工する際には、木質板材３上に床冷暖房用接着剤６を塗布し、かつ、床暖房パネル４のパネル本体４１の雄実４３及び雌実４４に接着剤を塗布した後、その雄実４３及び雌実４４をそれぞれ隣接する床暖房パネル４の雄実４３及び雌実４４と嵌合した上で、床暖房パネル４を木質板材３上に載置して、接着剤を固化させる。さらに、その後にフローリング用ステープル等を用いて、床暖房パネル４を木質板材３に固定することにより施工すればよい。例えば、パネル本体の表面に、化粧単板等からなる表面材を貼り付けてもよい。
【００２７】
以上のように、本実施形態によると、床下地１の上に複数の蓄熱マット２，２，…が敷き詰められて施工されており、蓄熱マット２の上には、木質板材３と、下面の凹溝４２内に温水パイプ５が一体的に収容された一体型の床暖房パネル４とが、記載順に重ねられた状態で施工されている。ここで、木質板材３は、従来技術（例えば、合成樹脂発泡シート）と比較して熱伝導率が大きいため、床暖房パネル４の温水パイプ５の熱が蓄熱マット２に伝わりやすくなる。同様に、蓄熱マット２から放出された熱も木質板材３を介して床暖房パネル４に伝わりやすくなる。このように、床暖房パネル４と蓄熱マット２との間の熱伝導効率が上昇するため、蓄熱マット２の蓄熱性能を十分に発揮させることができ、床暖房パネル４の温熱の持続効果を高めることができる。
【００２８】
また、蓄熱又は放熱の過程において、温度変化に起因して蓄熱マット２の寸法が変化した場合においても、蓄熱マット２と床暖房パネル４との間に木質板材３が介在しているため、蓄熱マット２の寸法変化による床暖房パネル４への影響を防止することができる。すなわち、上記床暖房パネル４への影響を考慮した施工が不要であり、施工性が優れている。
【００２９】
さらに、木質板材３は、従来技術に係る合成樹脂発泡シート等と比較すると硬度が十分に高いため、歩行者に歩行時の床材の沈み込みによる違和感を生じさせないようにすることができる。
【００３０】
（その他の実施形態）
なお、上記実施形態は、温水パイプ５を有する床暖房パネル４によって床暖房を行う蓄熱床構造の場合であるが、冷水を流す冷水パイプを有する床冷房パネルによって床冷房を行うようにしてもよく、温水又は冷水を流す配管を有する一体型の床冷暖房パネルによって床暖房及び床冷房を切り換えて行うようにすることもできる。この場合においても、上記実施形態と同様の効果が得られる。すなわち、床冷房パネルの冷熱の持続効果又は床冷暖房パネルの温熱又は冷熱の持続効果を高めることができ、施工性に優れるとともに、歩行者の歩行に違和感がないようにすることができる。
【００３１】
また、床暖房を行う場合において、温水パイプ５に代えて電気ヒータを用いてもよい。
【産業上の利用可能性】
【００３２】
本発明は、床下地の上に、蓄熱体、木質板材、及び発熱部が収容された床暖房パネルをその順番で積層状態に施工するようにしたため、熱伝達効率が高く、施工性に優れるので、極めて有用である。
【符号の説明】
【００３３】
１  床下地
２  蓄熱マット（蓄熱体）
３  木質板材
４  床材（床暖房パネル）
５  温水パイプ（発熱部）
【図１】
0006730060.tif 000002